【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
前処理液と、水性インクジェットインキとからなるインキセットであって、
前記水性インクジェットインキが、顔料、水溶性有機溶剤、及び、水を含み、
前記前処理液は、溶解状態の無機金属塩及び／または有機金属塩と、有機溶剤と、水溶性バインダー樹脂と、水とを含み、
前記無機金属塩及び／または有機金属塩由来の金属イオンが多価金属イオンを含み、かつ、前記多価金属イオンの含有量が、前処理液全量に対し２重量％以上８重量％以下であり、
前記有機溶剤が、分子構造中にヒドロキシル基を１個以上含む化合物を含み、かつ、沸点が１８０℃以上の有機溶剤の含有量が前処理液全量に対し１５重量％以下であることを特徴とする、インキセット。
【請求項２】
前記多価金属イオンが、Ｃａ2+、Ｍｇ2+、Ｚｎ2+、Ａｌ3+、Ｆｅ2+、及び、Ｆｅ3+から選択される少なくとも１種を含むことを特徴とする、請求項１記載のインキセット。
【請求項３】
前記バインダー樹脂が、ノニオン性水溶性樹脂を含有することを特徴とする、請求項１または２記載のインキセット。
【請求項４】
前記無機金属塩及び／または有機金属塩由来の金属イオンの含有量に対する、前記バインダー樹脂の含有量の重量比が、０超過２０未満であることを特徴とする、請求項３または４記載のインキセット。
【請求項５】
前記前処理液が界面活性剤を含有し、かつ前記前処理液の表面張力が２０〜４５ｍＮ／ｍであることを特徴とする、請求項１〜４いずれか記載のインキセット。
【請求項６】
前記水性インクジェットインキに含まれる水溶性有機溶剤が、１気圧下で沸点が１８０℃以上２５０℃以下であるグリコールエーテル系溶剤及び／またはアルキルポリオール系溶剤を２種以上含有することを特徴とする請求項１〜５いずれか記載のインキセット。
【請求項７】
前記水性インクジェットインキが、１気圧下における沸点が２４０℃以上である水溶性有機溶剤を、前記水性インクジェットインキ全量に対し０重量％以上１０重量％未満含有することを特徴とする、請求項１〜６いずれか記載のインキセット。
【請求項８】
前記水性インクジェットインキが、重合性モノマーを実質的に含有しないことを特徴とする、請求項１〜７いずれか記載のインキセット。
【請求項９】
前記水性インクジェットインキが、１気圧下における沸点が２１０℃以上である水溶性有機溶剤を、前記水性インクジェットインキ全量に対し０重量％以上２０重量％未満含有することを特徴とする、請求項１〜８いずれか記載のインキセット。
【請求項１０】
前記水性インクジェットインキが、顔料を、前記水性インクジェットインキ全量に対し２重量％以上１５重量％未満含有することを特徴とする、請求項１〜９いずれか記載のインキセット。
【請求項１１】
前記水性インクジェットインキが、更にバインダー樹脂として水溶性樹脂を含有することを特徴とする、請求項１〜１０いずれかに記載のインキセット。
【請求項１２】
前記水性インクジェットインキが少なくともマゼンタインキを有し、前記マゼンタインキが、マゼンタ顔料としてＣ．Ｉ．ピグメントバイオレッド１９を含有することを特徴とする、請求項１〜１１いずれかに記載のインキセット。
【請求項１３】
請求項１〜１２いずれかに記載のインキセットを用いる水性インクジェットインキ印刷物の製造方法であって、３０ｍ／分以上の速度で搬送される基材に前処理液を付与する工程と、前記前処理液を付与した部分に、前記水性インクジェットインキを１パス印刷方式により付与する工程とを含むことを特徴とする、水性インクジェットインキ印刷物の製造方法。
【請求項１４】
前記基材が紙またはフィルム基材であることを特徴とする、請求項１３記載の水性インクジェットインキ印刷物の製造方法。
【請求項１５】
前記前処理液の塗布量が１〜２５ｇ／ｍ2であることを特徴とする、請求項１３または１４記載の水性インクジェットインキ印刷物の製造方法。
【手続補正２】
【補正対象書類名】明細書
【補正対象項目名】００１４
【補正方法】変更
【補正の内容】
【００１４】
すなわち本発明は、前処理液と、水性インクジェットインキとからなるインキセットであって、
前記水性インクジェットインキが、顔料、水溶性有機溶剤、及び、水を含み、
前記前処理液は、溶解状態の無機金属塩及び／または有機金属塩と、有機溶剤と、水溶性バインダー樹脂と、水とを含み、
前記無機金属塩及び／または有機金属塩由来の金属イオンが多価金属イオンを含み、かつ、前記多価金属イオンの含有量が、前処理液全量に対し２重量％以上８重量％以下であり、
前記有機溶剤が、分子構造中にヒドロキシル基を１個以上含む化合物を含み、かつ、沸点が１８０℃以上の有機溶剤の含有量が前処理液全量に対し１５重量％以下であることを特徴とする、インキセットに関する。
【手続補正３】
【補正対象書類名】明細書
【補正対象項目名】００１５
【補正方法】変更
【補正の内容】
【００１５】
また本発明は、前記多価金属イオンが、Ｃａ2+、Ｍｇ2+、Ｚｎ2+、Ａｌ3+、Ｆｅ2+、及び、Ｆｅ3+から選択される少なくとも１種を含むことを特徴とする、上記インキセットに関する。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
また本発明は、前記バインダー樹脂が、ノニオン性水溶性樹脂を含有することを特徴とする、上記インキセットに関する。
【手続補正６】
【補正対象書類名】明細書
【補正対象項目名】００１８
【補正方法】変更
【補正の内容】
【００１８】
また本発明は、前記無機金属塩及び／または有機金属塩由来の金属イオンの含有量に対する、前記バインダー樹脂の含有量の重量比が、０超過２０未満であることを特徴とする、上記インキセットに関する。
【手続補正７】
【補正対象書類名】明細書
【補正対象項目名】００１９
【補正方法】変更
【補正の内容】
【００１９】
また本発明は、前記前処理液が界面活性剤を含有し、かつ前記前処理液の表面張力が２０〜４５ｍＮ／ｍであることを特徴とする、上記インキセットに関する。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
また本発明は、前記水性インクジェットインキに含まれる水溶性有機溶剤が、１気圧下で沸点が１８０℃以上２５０℃以下であるグリコールエーテル系溶剤及び／またはアルキルポリオール系溶剤を２種以上含有することを特徴とする上記インキセットに関する。
【手続補正１１】
【補正対象書類名】明細書
【補正対象項目名】００２４
【補正方法】変更
【補正の内容】
【００２４】
また本発明は、前記水性インクジェットインキが、重合性モノマーを実質的に含有しないことを特徴とする、上記インキセットに関する。
【手続補正１２】
【補正対象書類名】明細書
【補正対象項目名】００２９
【補正方法】変更
【補正の内容】
【００２９】
また本発明は、上記に記載のインキセットを用いる水性インクジェットインキ印刷物の製造方法であって、３０ｍ／分以上の速度で搬送される基材に前処理液を付与する工程と、前記前処理液を付与した部分に、前記水性インクジェットインキを１パス印刷方式により付与する工程とを含むことを特徴とする、水性インクジェットインキ印刷物の製造方法に関する。
【手続補正１３】
【補正対象書類名】明細書
【補正対象項目名】００３０
【補正方法】変更
【補正の内容】
【００３０】
また本発明は、前記基材が紙またはフィルム基材であることを特徴とする、上記水性インクジェットインキ印刷物の製造方法に関する。
また本発明は、前記前処理液の塗布量が１〜２５ｇ／ｍ2であることを特徴とする、上記水性インクジェットインキ印刷物の製造方法に関する。